【事件の表示】
　特願２００４−　４１２９２「リニア同期モータ」拒絶査定不服審判事件〔平成１７年　９月　２日出願公開、特開２００５−２３７０７９〕について、次のとおり審決する。
【結　論】
　本件審判の請求は、成り立たない。
【理　由】
１．手続の経緯
　本願は、平成１６年２月１８日の出願であって、平成２２年６月２５日付で拒絶査定がなされ、これに対し、同年９月２９日に拒絶査定不服審判請求がなされると共に、同日付手続補正書による手続補正（以下、「本件補正」という。）がなされたものである。
　
２．本件補正についての補正却下の決定
［補正却下の決定の結論］
　本件補正を却下する。
　
［理由］
（１）補正後の本願の発明
　本件補正により、特許請求の範囲の請求項１は、
「平行に離間して配置された一対のヨークと、
　前記各ヨークの対向面に長手方向に沿ってそれぞれ配置された複数個の永久磁石と、
　前記一対のヨーク間に前記ヨークと平行に配置されたセンターヨークと、
　前記センターヨークの外周に沿って移動可能に、前記外周と遊嵌状態で配置された、環状の三相コイルと
　を備えた、
　軸方向磁束形の励磁構造を持つ、コアレス形リニア同期モータであって、
　前記各永久磁石はそれぞれ、前記ヨークの対向位置においては同一極性の永久磁石が配置され、前記ヨークの長手方向においては相異なる極性の永久磁石が交互に配置され、
　前記三相コイルの長手方向の寸法は、前記永久磁石の１個分の長手方向の寸法と同一であり、
　前記三相コイルは、前記センターヨークの長手方向に沿ってＵ相コイル、−Ｗ相コイルおよびＶ相コイルの相順で配列されたもので構成されて
おり、Ｕ相コイル、Ｖ相コイル、−Ｗ相コイルに印加する電流の位相差を４π／３（ラジアン）とし、−Ｗ相コイルに印加される電流の位相がＶ相コイルに印加される電流の位相からみて２π／３（ラジアン）ずれており
　または、前記三相コイルは、前記センターヨークの長手方向に沿って、−Ｕ相コイル、Ｗ相コイルおよび−Ｖ相コイルの相順で配列されたもので構成されて
おり、−Ｕ相コイル、−Ｖ相コイル、Ｗ相コイルに印加する電流の位相差を４π／３（ラジアン）とし、Ｗ相コイルに印加される電流の位相が−Ｖ相コイルに印加される電流の位相からみて２π／３（ラジアン）ずれている
　コアレス形リニア同期モータ。」
と補正された。
　
　なお、上記手続補正書の特許請求の範囲の請求項１の末尾に「コアレス形・リニア同期モータ」と記載されているが、これは「コアレス形リニア同期モータ」の明らかな誤記と認められるため、同請求項１の補正内容を上記のように認定した。
　
　上記補正は、実質的に、請求項１に記載した発明を特定するために必要な事項である「センターヨークの長手方向に沿ってＵ相コイル、−Ｗ相コイルおよびＶ相コイルの相順で配列されたもので構成されて」いる「三相コイル」について「Ｕ相コイル、Ｖ相コイル、−Ｗ相コイルに印加する電流の位相差を４π／３（ラジアン）とし、−Ｗ相コイルに印加される電流の位相がＶ相コイルに印加される電流の位相からみて２π／３（ラジアン）ずれて」いる態様に限定し、「センターヨークの長手方向に沿って、−Ｕ相コイル、Ｗ相コイルおよび−Ｖ相コイルの相順で配列されたもので構成されて」いる「三相コイル」について「−Ｕ相コイル、−Ｖ相コイル、Ｗ相コイルに印加する電流の位相差を４π／３（ラジアン）とし、Ｗ相コイルに印加される電流の位相が−Ｖ相コイルに印加される電流の位相からみて２π／３（ラジアン）ずれて」いる態様に限定するものであって、平成１８年法律第５５号改正附則第３条第１項によりなお従前の例によるとされる同法による改正前の特許法（以下、単に「改正前の特許法」という。）第１７条の２第４項第２号の特許請求の範囲の減縮を目的とするものに該当する。
　そこで、本件補正後の前記請求項１に記載された発明（以下、「本願補正発明」という。）が特許出願の際独立して特許を受けることができるものであるか（改正前の特許法第１７条の２第５項において準用する同法第１２６条第５項の規定に適合するか）について以下に検討する。
　
（２）引用例
ａ）原査定の拒絶の理由に引用された特開２００２−２３８２４０号公報（以下、「引用例１」という。）には、図面と共に次の事項が記載されている。
　
　・「【０００１】
【発明の属する技術分野】本発明は、リニアモータに係り、特に、位相制御駆動リニアモータに関する。」
　
　・「【０００８】
【発明の実施形態】以下、本発明に係る、位相制御駆動リニアモータ、特に、三相同期駆動リニアモータの実施の一形態を図１乃至図４に基づいて説明する。ここで、前述した図７乃至図１１に示した従来技術と同一の部材には、同一の符号を付すものとする。図１において、本実施例に係る、リニアモータは、断面略Ｅ字状のヨーク１を備え、上片（サイドヨーク）１２，下片（サイドヨーク）１３及びセンターヨーク１６を具備する構成となっている。サイドヨーク１２，１３の内面には、図１に示すように、対向する磁石の磁極が同一で、かつ、それぞれ長手方向に隣接する磁石の磁極が異なるように、Ｎ極，Ｓ極，Ｎ極・・・・・・Ｓ極の配列で永久磁石５０が設けられ、磁気回路が構成されている。この磁気回路内には、センターヨーク１６をそれ自身の空洞部に挿通してなる可動コイル３が設けられており、可動コイル３を構成する各コイル部材に所定の位相の電流を印可することにより、図中Ａ方向に可動する構成となっている。可動コイル３は、具体的には、図２に示すように、接着剤等を塗布した導線を中央部に空洞５を設けた、中空形状に多層巻きした、通称、ウエッド巻きしたコイル部材３Ａ１，３Ａ２，・・・・，３Ｃ２を６個を非磁性体の絶縁部材９、例えば、ガラスエポキシ樹脂や絶縁処理（硬質アルマイト処理）されたアルミ合金で接合して、一体化した構成となっている。
【０００９】この可動コイル３は、図３に示すように、位相差１２０度の三相交流で同期駆動されるように構成するため、各相をＵ相、Ｗ相、Ｖ相とし、コイル部材３Ａ１が［＋Ｕ］，３Ａ２が［−Ｕ］，３Ｂ１が［＋Ｗ］，３Ｂ２が［−Ｗ］，３Ｃ１が［＋Ｖ］，３Ｃ２が［−Ｖ］相に対応するように、電流が印可されるようになっている。
【００１０】＋Ｕ相，−Ｕ相は位相がπ（１８０度）異なる。
【００１１】同様に、＋Ｗ相，−Ｗ相及び＋Ｖ相，−Ｖ相も各々位相が１８０度異なるように電流が印可されるようになっている。そして、可動コイル３０の長手方向の寸法Ｔがサイドヨーク１２，１４に設けられた磁石５０のＮ極，Ｓ極の単位磁石４組分の寸法Ｓと等しくなるように構成されている。
【００１２】ここで、本実施例の動作原理を説明する。図５は、三相交流リニアモータの動作原理１であり、図６は、本発明に係る三相交流リニアモータの動作原理２を示す図面である。図３に示すように、本発明に用いられるリニアモ−タは、４個の永久磁石６と６個の中空コイル２を動作単位として構成されている。
【００１３】ここでは基本原理を説明するために図５に示すように永久磁石６を６−２〜６−５の４個、（または６−８〜６−１１の４個）と、一体となって移動する３個の中空移動コイル２を動作単位としている。
【００１４】図５に示すとおり、永久磁石６−３から出力された磁束は、センターサイドヨーク５を経由して、永久磁石６−２又は、永久磁石６−２及び永久磁石６−４に入力される。また、永久磁石６−９から出力された磁束は、センターサイドヨーク５を経由して、永久磁石６−８又は、永久磁石６−８及び永久磁石６−１０に入力される。
【００１５】同様にして永久磁石６−５から出力された磁束は、センターサイドヨーク５を経由して、永久磁石６−４又は、永久磁石６−４及び永久磁石６−６に入力される。また、永久磁石６−１１から出力された磁束は、センターサイドヨーク５を経由して、永久磁石６−１０又は、永久磁石６−１０又は、永久磁石６−１２に入力される。
【００１６】永久磁石６−２及び永久磁石６−８の左側を起点として位置角（磁場の位相角）を設定する。位置角は、磁極方向に隣接する永久磁石毎にπ進むものと定める。また、永久磁石６−２及び永久磁石６−８の左側を起点として右方向（Ｘ軸方向）へ一体となって移動する３個のコイル部材（中空コイル２）の移動する距離をｘと定める。コイル部材３Ａ１が距離ｘだけＸ軸方向へ移動したときに鎖交する磁束数を
Ｂａ＝Ｂｍ・ｓｉｎ（ｘ）・・・（１式）
コイル部材３Ｂ１が距離ｘだけＸ軸方向へ移動したときに鎖交する磁束数を
Ｂｂ＝Ｂｍ・ｓｉｎ（ｘ−４π／３）・・・（２式）
コイル部材３Ｃ１が距離ｘだけＸ軸方向へ移動したときに鎖交する磁束数を
  Ｂｃ＝Ｂｍ・ｓｉｎ（ｘ−８π／３）＝Ｂｍ・ｓｉｎ（ｘ−２π／３）
                                                      ・・・（３式）
とおく。ここでＢｍは永久磁石の最大磁束密度とし、各コイル部材の位置ズレを上記位置角で表す。上記図３に示すコイル部材に３Ａ１に三相交流の＋Ｕ相、コイル部材３Ｂ１に＋Ｗ、コイル部材３Ｃ１に＋Ｖがそれぞれ供給されている。したがって、コイル部材３Ａ１に流れる電流は、
Ｉａ＝Ｉｍ・ｓｉｎ（ωｔ）          ・・・（４式）
コイル部材３Ａ１に流れる電流は、
Ｉｂ＝Ｉｍ・ｓｉｎ（ωｔ−４π／３）・・・（５式）
コイル部材３Ａ１に流れる電流は、
Ｉｃ＝Ｉｍ・ｓｉｎ（ωｔ−２π／３）・・・（６式）
となる。以上求めた（１式）から（６式）より永久磁石６−１〜６−６の界磁磁束とコイル部材に流れる電流が鎖交することによって３個のコイル部材（３Ａ１，３Ｂ１，３Ｃ１に働く推力Ｆは次式で表される。
　Ｆ＝Ｂａ・Ｉａ＋Ｂｂ・Ｉｂ＋Ｂｃ・Ｉｃ
  　＝Ｂｍ・Ｉｍ・｛ｓｉｎ（ｘ）・ｓｉｎ（ωｔ）＋
　　　ｓｉｎ（ｘ−４π／３）・ｓｉｎ（ωｔ−４π／３）＋
　　　ｓｉｎ（ｘ−２π／３）・ｓｉｎ（ωｔ−２π／３）｝
  同期の場合  ωｔ＝ｘであるから
　Ｆ＝Ｂｍ・Ｉｍ・｛ｓｉｎ２ （ｘ）＋ｓｉｎ２ （ｘ−４π／３）＋
　　　ｓｉｎ２ （ｘ−２π／３）
　　・・・（途中省略）・・・
  　＝（３／２）・Ｂｍ・Ｉｍ・・・（７式）
以上、永久磁石６−１〜６−６の界磁磁束と３個のコイル部材３Ａ１，３Ｂ１，３Ｃ１に働く推力Ｆについて説明した。また、３個のコイル部材３Ａ１，３Ｂ１，３Ｃ１には、永久磁石６−７〜６−１２の界磁磁束との鎖交によっても推力Ｆが同一方向に働くが、上述と同様の理論なので説明を省略する。
【００１７】ここで、留意すべき点は以下の通りである。すなわち、４個の永久磁石６−２〜６−５に対して３個のコイル部材３Ａ１，３Ｂ１，３Ｃ１が一組となって動作する。これ以外の組み合わせでは、駆動電流の位相角とコイル部材の位置角が一致しないので推力リップルが大きくなる。次に、本発明に係る三相同期リニアモータの動作原理を図６に示す基本原理２に基づいて詳細に説明する。上述した基本原理１は、位置角にして２π／３の長さをもつ３個のコイル部材３Ａ１，３Ｂ１，３Ｃ１がそれぞれお互いに位置角＝４π／３の間隔をおいて配置されていたのに対し、本実施例（基本原理２）では、その間隔の中に位置角にして２π／３の長さをもつ、３個のコイル部材３Ａ２，３Ｂ２，３Ｃ２が配置されている。さらに、図３に示すように、コイル部材３Ａ１に＋Ｕ相、コイル部材３Ａ２に−Ｕ相、同様に、コイル部材３Ｂ１に＋Ｗ相、コイル部材３Ｂ２に−Ｗ相、コイル部材３Ａ３に＋Ｖ相、コイル部材３Ｂ３に−Ｖ相の電流が印可されるように接続されている。
【００１８】本実施例の場合、同一コイル部材３Ａ１，３Ａ２，・・，３Ｃ２は同一方向巻きの同一コイル部材からなり、これらを巻き方向が同じになるように図３のように配列して、例えば隣接するコイル部材３Ａ１と３Ａ２の場合には、コイル部材３Ａ１の巻きはじめの端をＫＳ１，巻き終わりの端をＫＥ１，同様にコイル部材３Ａ２の巻き始めの端をＫＳ２，巻き終わりの端をＫＥ２とすれば、コイル部材３Ａ１，３Ａ２の接続は、ＫＥ１−ＫＥ２を接続するようになっている。回路的には、ＫＳ１−ＫＥ１−ＫＥ２−ＫＳ２で電気回路が成立している。これによって、三相交流のＵ相の場合、コイル部材３Ａ１に＋Ｕ相、コイル部材３Ａ２に−Ｕ相を印可したのと同様になる。以下、Ｗ相，Ｖ相も同様である。ここで三相交流の＋Ｕ，−Ｕ相は逆相を意味しており、位相差π（１８０度）である。同様に＋Ｗ，−Ｗ相及び＋Ｖ相，−Ｖ相も同様である。かかる接続を採用することによりコイル部材３Ａ２，３Ｂ２，３Ｃ２に印可される駆動電流の位相は２π／３遅れる。一方、コイル部材３Ａ２，３Ｂ２，３Ｃ２は、コイル部材３Ａ１，３Ｂ１，３Ｃ１の後ろに接続されるので、位置角も２π／３遅れる。したがって，上記（７式）を満足する。その結果コイル部材３Ａ１，３Ｂ１，３Ｃ１に働く推力とコイル部材３Ａ２，３Ｂ２，３Ｃ２に働く推力は同一方向となる。
【００１９】すなわち、本実施例のリニアモータは、上記基本原理１で説明した３個のコイル部材３Ａ１，３Ｂ１，３Ｃ１からなるリニアモータの可動コイルの容積を増加させることなく、２組の可動コイルを直列接続したのと等価となる。
【００２０】この構成は、課題３，４を解決するために採用した構成で、主に、可動コイルに生じるＮ×Ｉ［通称：アンペアーターン］により、不要な方向の磁場を抑制し、磁気回路内の推力発生磁場の乱れを小さくすると共に、アンペアーターンによる、ヨーク１０内に発生する渦電流を抑制して、ヨークの温度上昇を防ぎ、磁石５０の温度特性により磁場の低下を防ぐ効果がある。
【００２１】つまり、コイル部材３Ａ１の駆動電流Ｉｍｓｉｎ（ωｔ）によって励起される磁束をＨＡ１とすると、コイル部材３Ａ２の駆動電流は、−Ｉ・ｓｉｎ（ωｔ）によって励起される磁束をＨＡ２となり磁束の向きが反転してうち消し合うことになる。同様に、コイル部材３Ｂ１，３Ｂ２及び３Ｃ１と３Ｃ２に励起される磁束も同様の結果となり、ヨーク内に発生する渦電流の発生を抑制できる。」
　
　・「【００３２】
【発明の効果】本発明は、以上のように構成されているので、位相制御駆動リニアモータにおいて、磁場の利用効率が高く、しかもヨークの発熱を押され、可動コイルを小型化でき安定した推力を得ることが出来るリニアモータを提供できる。」
　
　・図６には、軸方向磁束形の励磁構造を持つリニアモータの基本動作原理が示されている。
　
　これらの記載事項及び図示内容を総合すると、引用例１には、次の発明（以下、「引用発明」という。）が記載されていると認めることができる。
「平行に離間して配置された一対のサイドヨーク１２，１４と、
　前記各サイドヨーク１２，１４の対向面に長手方向に沿ってそれぞれ配置された複数個の永久磁石５０と、
　前記一対のサイドヨーク１２，１４間に前記サイドヨーク１２，１４と平行に配置されたセンターヨーク１６と、
　前記センターヨーク１６の外周に沿って移動可能に、前記外周を空洞部に挿通してなる、三相交流で同期駆動される中空形状の可動コイル３と
　を備えた、
　軸方向磁束形の励磁構造を持つ、中空形状の可動コイル３を有する三相同期リニアモータであって、
　前記各永久磁石５０はそれぞれ、前記サイドヨーク１２，１４の対向位置においては同一極性の永久磁石が配置され、前記サイドヨーク１２，１４の長手方向においては相異なる極性の永久磁石が交互に配置され、
　前記三相交流で同期駆動される中空形状の可動コイル３の長手方向の寸法は、前記永久磁石５０の４個分の長手方向の寸法と同一であり、
　前記三相交流で同期駆動される中空形状の可動コイル３は、前記センターヨーク１６の長手方向に沿ってＵ相コイル、−Ｕ相コイル、Ｗ相コイル、−Ｗ相コイル、Ｖ相コイルおよび−Ｖ相コイルの相順で配列されたもので構成されている、
　中空形状の可動コイル３を有する三相同期リニアモータ。」
　
ｂ）同じく、引用された特開２００２−２９１２２０号公報（以下、「引用例２」という。）には、図面と共に次の事項が記載されている。
　
　・「【０００１】
【発明の属する技術分野】本発明はリニアモータに関する。」
　
　・「【００３０】図３をも参照して、ステータ１０とムーバ２０の内部構造について説明する。ステータ１０は、中空軸状のセンターコア１１と、センターコア１１の周囲に装着された複数のコイル１２と、複数のコイル１２の外周側をカバーするように組み合わされたパイプ１３（筒状体）とを含む。コイル１２は制御ドライバー４０のモータ接続端子に接続されたＵ相コイル、Ｖ相コイル、Ｗ相コイルを含み、これらの各コイルはセンターコア１１の周囲にその磁極軸がセンターコア１１の軸芯に平行になるようにしてムーバ２０の走行範囲のほぼ全長にわたって装着されている。
【００３１】ムーバ２０は、コイル１２を囲むことができるような環状の複数の永久磁石２１と、これら複数の永久磁石２１を収容している磁石ケース２２とを含む。複数の永久磁石２１は、同じ長さ寸法を持ち、しかも隣接する磁極が互いに反対向きになり、かつ磁極軸がセンターコア１１の軸芯に平行になるように直列的に組合わされて磁石ケース２２に収容されている。コイル１２、永久磁石２１のサイズは、推力、リニアモータ全体の大きさ等の条件により変わるが、すべての永久磁石２１は軸方向の寸法が等しく、また軸方向の寸法がコイル１２の磁極軸方向の寸法の３倍の長さになるように作られる。」
　
　・「【００４３】図４は、Ｕ相コイル、Ｗ相コイル、Ｖ相コイルの基本構成を示す。３つのＵ相コイルＵ１、Ｗ相コイルＷ１、Ｖ相コイルＶ１がスター結線されている。各コイルは巻き始め端Ｓ、巻き終り端Ｅを有し、２つのコイルの巻き終り端Ｅと１つのコイルの巻き始め端Ｓ、ここではＷ相コイルＷ１の巻き始め端Ｓとがコモン端子に共通接続される。
【００４４】図５は、３つのＵ相コイル、Ｗ相コイル、Ｖ相コイルを１組とする基本構成を３組、すなわち合計９個のコイルを備える場合の接続と制御ドライバー４０を使用する場合の接続例を示す。ここでは、Ｕ相コイルについては第１のコイルＵ１の巻き始め端Ｓを制御ドライバー４０のＵ端子に接続し、第１のコイルＵ１の巻き終り端Ｅを第２のコイルＵ２の巻き終り端Ｅに接続している。そして、第２のコイルＵ２の巻き始め端Ｓを第３のコイルＵ３の巻き始め端Ｓに接続し、第３のコイルＵ３の巻き終り端Ｅをコモン端子に接続している。同様に、Ｗ相コイルについては第１のコイルＷ１の巻き終り端Ｅを制御ドライバー４０のＶ端子に接続し、第１のコイルＷ１の巻き始め端Ｓを第２のコイルＷ２の巻き始め端Ｓに接続している。そして、第２のコイルＷ２の巻き終り端Ｅを第３のコイルＷ３の巻き終り端Ｅに接続し、第３のコイルＷ３の巻き始め端Ｓをコモン端子に接続している。一方、Ｖ相コイルについては第１のコイルＶ１の巻き始め端Ｓを制御ドライバー４０のＷ端子に接続し、第１のコイルＶ１の巻き終り端Ｅを第２のコイルＶ２の巻き終り端Ｅに接続している。そして、第２のコイルＶ２の巻き始め端Ｓを第３のコイルＶ３の巻き始め端Ｓに接続し、第３のコイルＶ３の巻き終り端Ｅをコモン端子に接続している。
【００４５】簡単に言えば、図５のように９個のコイルを備える場合には、２つの相については３つのコイルのうちの中間のコイルをその両側のコイルと巻き始め端Ｓ、巻き終り端Ｅを逆にして接続し、残りの１つの相については３つのコイルのうちの両側のコイルをそれらの間のコイルと巻き始め端Ｓ、巻き終り端Ｅを逆にして接続している。
【００４６】これを１２個以上、すなわち４組以上の複数の組のコイルを有する場合について言えば、複数組における複数のＵ相コイル、複数のＷ相コイル、複数のＶ相コイルはそれぞれ相毎に直列接続されて制御ドライバー４０にスター結線により接続される。しかも、２つの相における複数のコイルは奇数組における磁極に対して偶数組における磁極が反対向きになるように接続され、残りの１つの相における複数のコイルは奇数組における磁極が前記２つの相における複数のコイルの前記奇数組における磁極と反対向きであり、偶数組における磁極は前記２つの相における複数のコイルの前記偶数組における磁極と反対向きになるように接続されることになる。
【００４７】図６は、上記のようなＵ相コイル、Ｗ相コイル、Ｖ相コイルに接続される制御ドライバー４０の電圧波形を示している。言うまでも無く、Ｕ相、Ｖ相、Ｗ相の電圧波形はそれぞれ１２０度の位相差を持つ。
【００４８】図７は、図５の各コイルに図６の電圧を発生する制御ドライバー４０を接続した場合について、図６のタイミング〔1〕、〔2〕、〔3〕において各コイル端部に誘起される磁極の変化を示した図である。」
　
　・「【００６３】図１５は永久磁石の他の例を示す。つまり、上記の形態においては、永久磁石２１はその中心軸方向、すなわち中心軸方向と平行に着磁されているが、本例による永久磁石２１´は径方向、すなわち中心軸に向かって放射状（径方向）に着磁されている。勿論、本例でも複数の永久磁石２１´が直列的に組み合わされるものであり、１個当たりの長さはコイル１２（図３）の磁極軸の寸法の３倍の長さに作られる。そして、隣り合う永久磁石２１´は互いに反対の磁極が対向するように組み合わされる。」
　
　・「【００６５】図１６は、上記のような永久磁石２１´の組合わせ体の外周を磁性体による筒状、ここでは円筒状のアウターヨーク６１でカバーするようにした例である。なお、本図ではコイルは図示を省略している。このようなアウターヨーク６１は、アウターヨーク６１の外部周辺の磁気シールド効果が得られる。つまり、本リニアモータの外部への漏洩磁束の低減を持ち、かつ、効率的な磁気回路が構成され、リニアモータとして推力の向上が得られる。」
　
　・「【００８４】（３）環状あるいはＵ形状の永久磁石の内側にわずかなギャップを介して電磁石コイルが収容配置されているので、電磁石コイルの磁束を有効に永久磁石に作用させることができる。特に、環状の永久磁石の場合には電磁石コイルの磁束の利用効率は非常に高く、高推力を得ることができる。」
　
　・図３、図４、図５及び図７には、三相コイルの組をなす３つのコイル１２の長手方向の寸法が、永久磁石２１の１個分の長手方向の寸法と同一とした態様、及び、三相コイルの奇数組を、センターコア１１の長手方向に沿ってＵ相コイルＵ１、−Ｗ相コイルＷ１およびＶ相コイルＶ１の相順で配列されたもので構成する態様が示されている。
　
（３）対比
　そこで、本願補正発明と引用発明とを対比すると、その機能・作用からみて、後者における「サイドヨーク１２，１４」は前者における「ヨーク」に相当し、以下同様に、「外周を空洞部に挿通してなる」態様は「外周と遊嵌状態で配置された」態様に、「三相交流で同期駆動される中空形状の可動コイル３」は「環状の三相コイル」に、「中空形状の可動コイル３を有する三相同期リニアモータ」は「コアレス形リニア同期モータ」に、それぞれ相当している。
　
　また、後者の「三相交流で同期駆動される中空形状の可動コイル３の長手方向の寸法は、永久磁石５０の４個分の長手方向の寸法と同一」である態様と前者の「三相コイルの長手方向の寸法は、永久磁石の１個分の長手方向の寸法と同一」である態様とは、「三相コイルの長手方向の寸法は、永久磁石の所定の長手方向の寸法と同一」であるとの概念で共通している。
　
　さらに、後者の「三相交流で同期駆動される中空形状の可動コイル３は、センターヨーク１６の長手方向に沿ってＵ相コイル、−Ｕ相コイル、Ｗ相コイル、−Ｗ相コイル、Ｖ相コイルおよび−Ｖ相コイルの相順で配列されたもので構成されている」態様と前者の「三相コイルは、センターヨークの長手方向に沿ってＵ相コイル、−Ｗ相コイルおよびＶ相コイルの相順で配列されたもので構成されており、Ｕ相コイル、Ｖ相コイル、−Ｗ相コイルに印加する電流の位相差を４π／３（ラジアン）とし、−Ｗ相コイルに印加される電流の位相がＶ相コイルに印加される電流の位相からみて２π／３（ラジアン）ずれており、または、前記三相コイルは、前記センターヨークの長手方向に沿って、−Ｕ相コイル、Ｗ相コイルおよび−Ｖ相コイルの相順で配列されたもので構成されており、−Ｕ相コイル、−Ｖ相コイル、Ｗ相コイルに印加する電流の位相差を４π／３（ラジアン）とし、Ｗ相コイルに印加される電流の位相が−Ｖ相コイルに印加される電流の位相からみて２π／３（ラジアン）ずれている」態様とは、「三相コイルは、センターヨークの長手方向に沿って所定の相コイルの相順で配列されたもので構成されている」との概念で共通している。
　
　したがって、両者は、
「平行に離間して配置された一対のヨークと、
　前記各ヨークの対向面に長手方向に沿ってそれぞれ配置された複数個の永久磁石と、
　前記一対のヨーク間に前記ヨークと平行に配置されたセンターヨークと、
　前記センターヨークの外周に沿って移動可能に、前記外周と遊嵌状態で配置された、環状の三相コイルと
　を備えた、
　軸方向磁束形の励磁構造を持つ、コアレス形リニア同期モータであって、
　前記各永久磁石はそれぞれ、前記ヨークの対向位置においては同一極性の永久磁石が配置され、前記ヨークの長手方向においては相異なる極性の永久磁石が交互に配置され、
　前記三相コイルの長手方向の寸法は、前記永久磁石の所定の長手方向の寸法と同一であり、
　前記三相コイルは、前記センターヨークの長手方向に沿って所定の相コイルの相順で配列されたもので構成されている、
　コアレス形リニア同期モータ。」
の点で一致し、以下の点で相違している。
　
［相違点１］
　三相コイルの長手方向の寸法が同一である、「永久磁石の所定の長手方向の寸法」に関し、本願補正発明は、「永久磁石の１個分の長手方向の寸法」であるのに対し、引用発明は、「永久磁石の４個分の長手方向の寸法」である点。
［相違点２］
　三相コイルが、センターヨークの長手方向に沿って配列されたもので構成されている「所定の相コイルの相順」に関し、本願補正発明は、「Ｕ相コイル、−Ｗ相コイルおよびＶ相コイルの相順」で、「Ｕ相コイル、Ｖ相コイル、−Ｗ相コイルに印加する電流の位相差を４π／３（ラジアン）とし、−Ｗ相コイルに印加される電流の位相がＶ相コイルに印加される電流の位相からみて２π／３（ラジアン）ずれており」、または、「−Ｕ相コイル、Ｗ相コイルおよび−Ｖ相コイルの相順」で、「−Ｕ相コイル、−Ｖ相コイル、Ｗ相コイルに印加する電流の位相差を４π／３（ラジアン）とし、Ｗ相コイルに印加される電流の位相が−Ｖ相コイルに印加される電流の位相からみて２π／３（ラジアン）ずれている」としているのに対し、引用発明は、かかる相順及び位相差とされていない点。
　
（４）判断
　上記相違点１及び２について以下検討する。
　
　例えば、引用例２にも開示されているように、三相コイル（「三相コイルの組をなす３つのコイル１２」が相当）の長手方向の寸法を、永久磁石の１個分の長手方向の寸法と同一とし、三相コイル（「三相コイルの奇数組」が相当）を、センターヨーク（「センターコア１１」が相当）の長手方向に沿ってＵ相コイル（「Ｕ相コイルＵ１」が相当）、−Ｗ相コイル（「−Ｗ相コイルＷ１」が相当）およびＶ相コイル（「Ｖ相コイルＶ１」が相当）の相順で配列されたもので構成することで、高推力を得るようにすることは、リニアモータの分野における周知技術である。
　
　また、通常、三相コイルにおいて、各相コイルに印加する電流の位相差は各相コイル間で２π／３（ラジアン）であるから、上記周知技術において、Ｕ相コイル、−Ｗ相コイルおよびＶ相コイルの相順で配列された三相コイルにおいては、（Ｕ相）−（−Ｗ相）間、（−Ｗ相）−（Ｖ相）間および（Ｖ相）−（Ｕ相）間で上記位相差がいずれも２π／３（ラジアン）となるものであり、これを、Ｕ相コイル、Ｖ相コイルおよび−Ｗ相コイルの順でみれば、（Ｕ相）−（Ｖ相）間、（Ｖ相）−（−Ｗ相）間および（−Ｗ相）−（Ｕ相）間の上記位相差がいずれも４π／３（ラジアン）になることが明らかである。
　
　引用発明において、高推力の確保は当然に要求されるべき課題であるといえるから、かかる課題の下に、三相コイルと永久磁石との寸法関係及び三相コイルの相順配列に上記周知技術を採用することで、上記相違点１及び２に係る本願補正発明の構成とすることは、当業者が容易に想到し得たものというべきである。
　
　そして、本願補正発明の全体構成により奏される作用効果も、引用発明及び上記周知技術から当業者が予測し得る範囲内のものである。
　したがって、本願補正発明は、引用発明及び上記周知技術に基いて、当業者が容易に発明をすることができたものであるから、特許法第２９条第２項の規定により特許出願の際独立して特許を受けることができないものである。
　
（５）むすび
　以上のとおりであって、本件補正は、改正前の特許法第１７条の２第５項において準用する同法第１２６条第５項の規定に違反するので、同法第１５９条第１項において読み替えて準用する同法第５３条第１項の規定により却下を免れない。
　
３．本願の発明について
　本件補正は上記のとおり却下されたので、本願の請求項１に係る発明（以下、同項記載の発明を「本願発明」という。）は、平成２２年３月８日付手続補正書の特許請求の範囲の請求項１に記載された事項により特定される、以下のとおりのものである。
「平行に離間して配置された一対のヨークと、
　前記各ヨークの対向面に長手方向に沿ってそれぞれ配置された複数個の永久磁石と、
　前記一対のヨーク間に前記ヨークと平行に配置されたセンターヨークと、
　前記センターヨークの外周に沿って移動可能に、前記外周と遊嵌状態で配置された環状の三相コイルと
　を備えた、
　軸方向磁束形の励磁構造を持つ、コアレス形リニア同期モータであって、
　前記各永久磁石はそれぞれ、前記ヨークの対向位置においては同一極性の永久磁石が配置され、前記ヨークの長手方向においては相異なる極性の永久磁石が交互に配置され、
　前記三相コイルの長手方向の寸法は、前記永久磁石の１個分の長手方向の寸法と同一であり、
　前記三相コイルは、前記センターヨークの長手方向に沿ってＵ相コイル、−Ｗ相コイルおよびＶ相コイル、または、−Ｕ相コイル、Ｗ相コイルおよび−Ｖ相コイルの相順で配列されたもので構成されている、
　コアレス形リニア同期モータ。」
　
（１）引用例
　原査定の拒絶の理由に引用された引用例、及び、その記載事項は、前記「２．（２）」に記載したとおりである。
　
（２）対比・判断
　本願発明は、実質的に、前記「２．（１）」で検討した本願補正発明から
　「センターヨークの長手方向に沿ってＵ相コイル、−Ｗ相コイルおよびＶ相コイルの相順で配列されたもので構成されて」いる「三相コイル」について「Ｕ相コイル、Ｖ相コイル、−Ｗ相コイルに印加する電流の位相差を４π／３（ラジアン）とし、−Ｗ相コイルに印加される電流の位相がＶ相コイルに印加される電流の位相からみて２π／３（ラジアン）ずれて」いる態様への限定を省き、「センターヨークの長手方向に沿って、−Ｕ相コイル、Ｗ相コイルおよび−Ｖ相コイルの相順で配列されたもので構成されて」いる「三相コイル」について「−Ｕ相コイル、−Ｖ相コイル、Ｗ相コイルに印加する電流の位相差を４π／３（ラジアン）とし、Ｗ相コイルに印加される電流の位相が−Ｖ相コイルに印加される電流の位相からみて２π／３（ラジアン）ずれて」いる態様への限定を省いたものである。
　
　そうすると、本願発明の構成要件を全て含み、さらに他の構成要件を付加したものに相当する本願補正発明が、前記「２．（３）及び（４）」に記載したとおり、引用発明及び上記周知技術に基いて、当業者が容易に発明をすることができたものであるから、本願発明も、同様の理由により、引用発明及び上記周知技術に基いて、当業者が容易に発明をすることができたものである。
　
（３）むすび
　以上のとおり、本願発明は、引用発明及び上記周知技術に基いて当業者が容易に発明をすることができたものであるから、特許法第２９条第２項の規定により特許を受けることができないため、本願は、同法第４９条第２号の規定に該当し、拒絶をされるべきものである。
　よって、結論のとおり審決する。